(57)【特許請求の範囲】
【請求項１】
立て管を建物に設置する立て管施工方法であって、
前記立て管を構成する複数本の管材が所定の距離を隔てて並列に配置され、隣接する管材と管材とを接続する接続部材が、当該両管材の軸線が位置する面を挟むように対向して配設された立て管ユニットを製作し、
前記立て管ユニットを下階に設けた荷揚げスペースに位置させ、
上階に設置した揚重機のワイヤの先端部を、前記荷揚げスペースの立て管ユニットの接続部材に接続し、前記ワイヤを巻き上げて前記立て管ユニットを所定の位置まで吊り上げ、建物に固定し、
前記固定した上位の立て管ユニットの接続部材間を通して前記ワイヤを前記荷揚げスペースまで下げ、このワイヤの先端部を荷揚げスペースに位置されている次の立て管ユニットの接続部材に接続し、前記ワイヤを巻き上げて前記上位の立て管ユニットの下端まで吊り上げ、前記上位の立て管ユニットの管材下端部と吊り上げた立て管ユニットの管材上端部とを接続し、以後同様にして順次、次の立て管ユニットを接続していく、
ことを特徴とする立て管施工方法。
【請求項２】
前記荷揚げスペースを立て管の最下階に設けない場合に、前記荷揚げスペースよりも下の階用の立て管ユニットを当該階に位置させ、前記荷揚げスペースから上の階用の立て管ユニットを配設した後に、前記荷揚げスペースよりも下の階用の立て管ユニットを配設する、
ことを特徴とする請求項１に記載の立て管施工方法。
【請求項３】
建物の各階の床に、前記立て管ユニットを貫通させ、断熱材の被覆代が確保された上で前記立て管ユニットとの隙間が小さくなるように大きさが設定され、前記立て管ユニットの断面形状と同形状のスリーブ開口を形成し、
このスリーブ開口を貫通するように前記立て管ユニットを配設する、
ことを特徴とする請求項１または２のいずれか１項に記載の立て管施工方法。
【請求項４】
建物に設置される立て管を構成する立て管ユニットであって、
複数本の管材が所定の距離を隔てて並列に配置され、
隣接する管材と管材とを接続する接続部材として一対の金属製の接続プレートを採用し、この接続プレートは、当該両管材の軸線が位置する面を挟むように対向し、かつ、揚重機のワイヤを通せるように配設され、
このような対の接続部材が、少なくとも前記管材の上端部側と下端部側とに配設され、
少なくともひとつの前記接続部材に、揚重機のワイヤを接続する被接続部が設けられている、
ことを特徴とする立て管ユニット。
【請求項５】
上位の立て管ユニットの管材の下端部が、下位の立て管ユニットの管材の上端部内に嵌合するように、上端部および下端部の形状が設定されている、ことを特徴とする請求項４に記載の立て管ユニット。
【発明の詳細な説明】
【技術分野】
【０００１】
この発明は、空調設備や衛生設備などの立て管（竪管）を建物に設置する立て管施工方法および、この方法に使用される立て管ユニットに関する。
【背景技術】
【０００２】
立て管を建物に設置する方法として、管材を縦につなげて吊り上げていく方法が知られている（例えば、特許文献１参照。）。この方法は、立て管を構成するための管材を建物の一階に集積し、頂部に位置することになる第１の管材を上方から吊り上げ、この管材の下端に第２の管材を接合して、管材をさらに吊り上げる。同様にして、第２の管材の下端に第３の管材を接合し、順次、管材を縦につなげて吊り上げていくものである。
【０００３】
また、架台に複数の管材を配置し、一階分ずつリフトアップする方法が知られている（例えば、特許文献２参照。）。この方法は、上部架台の仮固定装置に上階の管材を仮固定し、ガイドレールに沿って昇降する可動架台の芯出し治具に、下階の管材をセットする。そして、可動架台を上昇させて、上階の管材に下階の管材を接触させ、接続作業を行うものである。
【特許文献１】特開平０７−０３４６６６号公報
【特許文献２】特開平１０−１８４０１６号公報
【発明の開示】
【発明が解決しようとする課題】
【０００４】
ところで、上記特許文献１に記載された方法では、複数階分の管材をつなげて吊り上げるため、吊り上げ容量が大きい揚重機が必要となり、揚重機の費用がかさむことになる。また、複数の管材をつなげて吊り上げるため、管材が横振れし、安定した吊り上げが困難なために別途対策を講じる必要があり、さらに、複数階分をまとめて施工するため、本施工工程が建築工程に左右されがちである。
【０００５】
一方、上記特許文献２に記載された方法では、管材をセットした状態で昇降する可動架台、つまり揚重機構付きの架台を要するため、その製作に時間と費用とを要する。また、揚重機と架台のスペースを要するのみならず、安全に管材を立て起こしたりするためのスペースなどを要する。さらには、管材を１本ずつ立て起して架台にセットしなければならず、改善の余地があった。
【０００６】
そこでこの発明は、狭い施工スペースでも容易に、かつ、大掛かりな施工機械などを要しないで、立て管を設置することが可能な立て管施工方法および立て管ユニットを提供することを目的とする。
【課題を解決するための手段】
【０００７】
上記目的を達成するために請求項１に記載の発明は、立て管を建物に設置する立て管施工方法であって、前記立て管を構成する複数本の管材が所定の距離を隔てて並列に配置され、隣接する管材と管材とを接続する接続部材が、当該両管材の軸線が位置する面を挟むように対向して配設された立て管ユニットを製作し、前記立て管ユニットを下階に設けた荷揚げスペースに位置させ、上階に設置した揚重機のワイヤの先端部を、前記荷揚げスペースの立て管ユニットの接続部材に接続し、前記ワイヤを巻き上げて前記立て管ユニットを所定の位置まで吊り上げ、建物に固定し、前記固定した上位の立て管ユニットの接続部材間を通して前記ワイヤを前記荷揚げスペースまで下げ、このワイヤの先端部を荷揚げスペースに位置されている次の立て管ユニットの接続部材に接続し、前記ワイヤを巻き上げて前記上位の立て管ユニットの下端まで吊り上げ、前記上位の立て管ユニットの管材下端部と吊り上げた立て管ユニットの管材上端部とを接続し、以後同様にして順次、次の立て管ユニットを接続していく、ことを特徴とする。
【０００８】
請求項２に記載の発明は、請求項１に記載の立て管施工方法において、前記荷揚げスペースを立て管の最下階に設けない場合に、前記荷揚げスペースよりも下の階用の立て管ユニットを当該階に位置させ、前記荷揚げスペースから上の階用の立て管ユニットを配設した後に、前記荷揚げスペースよりも下の階用の立て管ユニットを配設する、ことを特徴とする。
【０００９】
請求項３に記載の発明は、請求項１または２に記載の立て管施工方法において、建物の各階の床に、前記立て管ユニットを貫通させ、断熱材の被覆代が確保された上で前記立て管ユニットとの隙間が小さくなるように大きさが設定され、前記立て管ユニットの断面形状と同形状のスリーブ開口を形成し、このスリーブ開口を貫通するように前記立て管ユニットを配設する、ことを特徴とする。
【００１０】
請求項４に記載の発明は、建物に設置される立て管を構成する立て管ユニットであって、建物に設置される立て管を構成する立て管ユニットであって、複数本の管材が所定の距離を隔てて並列に配置され、隣接する管材と管材とを接続する接続部材として一対の金属製の接続プレートを採用し、この接続プレートは、当該両管材の軸線が位置する面を挟むように対向し、かつ、揚重機のワイヤを通せるように配設され、このような対の接続部材が、少なくとも前記管材の上端部側と下端部側とに配設され、少なくともひとつの前記接続部材に、揚重機のワイヤを接続する被接続部が設けられている、ことを特徴とする。
【００１１】
請求項５に記載の発明は、請求項４に記載の立て管ユニットにおいて、上位の立て管ユニットの管材の下端部が、下位の立て管ユニットの管材の上端部内に嵌合するように、上端部および下端部の形状が設定されている、ことを特徴とする。
【発明の効果】
【００１３】
請求項１に記載の発明によれば、立て管ユニットごとに吊り上げるため、大掛かりな施工機械、つまり吊り上げ容量が大きい揚重機などを要しない。また、吊り点が揚重対象の管材間に限定されるため、狭い施工スペースでも安全かつ容易に施工することが可能となる。しかも、既に設置した立て管ユニットの接続部材間に揚重機のワイヤを通して次の立て管ユニットを吊り上げるため、ワイヤが接続部材間でガイドされ、立て管ユニットが振れることなく安定して吊り上げられるとともに、固定済みの管材と揚重対象の管材との位置合わせを容易に行うことができる。これらの結果、容易かつ短期間に立て管を設置することが可能となる。
【００１４】
請求項２に記載の発明によれば、荷揚げスペースから上の階用の立て管ユニットを配設した後に、下の階用の立て管ユニットを配設するため、逆打ち工法による場合や配設予定スペースに障害物がある場合など、立て管の施工（立て管ユニットの配設）を開始した後に下階に配設スペースが形成される場合であっても、立て管全体の施工工程に影響を与えることなく（他の施工状態に応じて柔軟に）施工を行うことが可能となる。
【００１５】
請求項３に記載の発明によれば、スリーブ開口と立て管ユニットとの隙間に断熱材を充填するだけで、あるいは多少のモルタル埋めなどを行うだけで、隙間の穴埋めを行え、穴埋め作業を削減できる。
【００１６】
請求項４に記載の発明によれば、接続部材が少なくとも管材の上端部側と下端部側とに配設されているため、管材同士が強固に接続され、管材のひずみや曲がりなどを防止できる。また、上下の接続部材間に揚重機のワイヤを通すことで、より安定して次の立て管ユニットを吊り上げ、かつ、管材と管材との位置合わせをより容易に行うことができる。
【００１７】
請求項５に記載の発明によれば、上位の立て管ユニットの管材の下端部が、下位の立て管ユニットの管材の上端部内に嵌合し、下位の立て管ユニットの管材の上端縁が上方に向いた（露出した）状態となる。このため、この上端縁を上方から溶接することができ、管材の端面を突き合わせて溶接などする場合に比べて、狭いスペースでも容易かつ精度高く溶接などを行うことが可能となる。
【発明を実施するための最良の形態】
【００１９】
以下、この発明を図示の実施の形態に基づいて説明する。
【００２０】
図１は、この発明の実施の形態に係る立て管ユニット１を示す平面図である。この立て管ユニット１は、建物に設置される立て管を構成するユニットであり、この実施の形態では、２本の管材２と２対の接続プレート（接続部材）３から構成されている。具体的には、同形の２本の管材２（ここでは、空調用冷温水の往還管）が、所定の距離を隔てて並列（平行）に配置され、接続プレート３によって接続されている。すなわち、図２に示すように、２枚の金属製の板状の接続プレート３が、２本の管材２の軸線Ｃが位置する中心面Ｃ１を挟むように、中心面Ｃ１から等間隔に対向して配設され、管材２との接触端が溶接されて、接続プレート３によって２本の管材２が接続されている。ここで、軸線Ｃは、管材２の軸方向（長手方向）に延びるそれぞれの管材２の中心線であり、２つの軸線Ｃがひとつの中心面Ｃ１上に位置する関係にある。具体的に、この実施の形態では、接続される２本の管材２に沿って、その間に対の接続プレート３が渡されている。なお、接続プレート３は、中心面Ｃ１から若干偏心していてもよい。
【００２１】
また、管材２と接続プレート３とで囲まれた挿入空間Ｃ２に、後述するチェーンブロック２７が挿入できるように、接続プレート３間の距離が設定され、このような挿入空間Ｃ２は、立て管ユニット１の中心に位置する。そして、このような対の接続プレート３が、管材２の上端部側と下端部側とに配設され、上端部側の接続プレート３には、後述するシャックル２４のボルト２４Ａを挿入する接続穴（被接続部）３ａが、水平方向に２つ形成されている。
【００２２】
また、管材２は断面が円形のストレート管で、その上端部に接続リング２Ａが、予め工場で溶接などによって接合されている。この接続リング２Ａの内径は、管材２の外径よりも大きく設定され、後述するように、接続リング２Ａ内に管材２の下端部が装着（嵌合）できるようになっている。このように、この実施の形態では、接続リング２Ａによって、管材２の上端部内に下端部が嵌合するようになっているが、管材２の上端部を拡径加工して、上端部の内径を下端部の外径よりも大きくしてもよい。
【００２３】
このような管材２の配置間隔Ｗ、つまり接続プレート３の接続方向の幅は、吊り具（チェーンブロック２７など）を受け入れる範囲で、立て管の配置設計によって設定されている。また、管材２の長さＬは、立て管の全長や管材２の定尺長の種類、各階間の距離などに基づいて、定尺の管材２が多く、かつ、後述する管材接続部が各階において所定の高さに位置するように設定されている。すなわち、できるだけ定尺の管材２を切断することなく使用し、かつ、管材接続部が所定の高さに位置するように、各管材２の長さＬが設定されている。具体的には、例えば、最上位（最も上の階）でない立て管ユニット１に対しては各階間の距離と同程度の定尺長の管材２が選択され、最上位の立て管ユニット１に対しては管材接続部が各階の床上から１．５ｍ以下（１．２ｍ程度が望ましい）に位置するように管材２の長さＬが設定されている。このように管材２の長さＬが設定されているため、各立て管ユニット１の長さは、それぞれの配設位置（対応階、接続順）に応じて設定されていることになる。
【００２４】
次に、このような構成の立て管ユニット１を用いて立て管を建物に設置する立て管施工方法について、図３のフローチャートに基づいて説明する。ここで、建物１０は、図４に示すように、地上２２階、地下３階の高層ビルとする。
【００２５】
まず、各階の床に、立て管ユニット１を通すスリーブ開口１０Ａを形成する（ステップＳ１）。すなわち、コンクリート受け材（コンパネ板など）に筒状のスリーブを配設した状態でコンクリートを打ち、各階の床にスリーブ開口１０Ａを形成する。このとき、立て管ユニット１が貫通した状態で、断熱材の被覆代が確保された上で、スリーブ開口１０Ａとの隙間ができるだけ小さくなるように、スリーブ開口１０Ａつまりスリーブの形状を決定して、形成する。例えば、立て管ユニット１の外周に沿った形状（メガネ状）とする。
【００２６】
次に、上記のような立て管ユニット１を製作し（ステップＳ２）、製作した立て管ユニット１のうち、地下１階から上の分を地下１階（下階）に設けた荷揚げスペースに仮置きし（揚重位置に搬入し）、地下２、３階用の立て管ユニット１をそれぞれ地下２階および地下３階に仮置きする（ステップＳ３）。ここで、スリーブ開口１０Ａの形成と立て管ユニット１の製作とは並行して行ってもよいし、立て管ユニット１の製作の後にスリーブ開口１０Ａを形成してもよい。また、本来であれば地上１階で揚重のためのセッティングなどの作業を行うと、立て管ユニット１を搬入するための移動が少ないが、この実施の形態では、地上１階では多職種の作業が輻輳して荷揚げスペースを確保するのが困難なことを想定し、荷揚げスペースを地下１階に設ける。さらに、立て管ユニット１を荷揚げスペースに仮置き（一時保管）することは必ずしも必要ではなく、揚重時にその都度工場から搬入してもよい。
【００２７】
続いて、図５に示すように、ウインチ（揚重機）２１とワイヤドラム２２とを設置する（ステップＳ４）。この実施の形態では、ウインチ２１は摩擦巻胴式のエンドレスウインチで、２２階のスリーブ開口１０Ａをまたぐようにウインチ架台２３を設置し、このウインチ架台２３にウインチ本体２１を取り付け、２１階の床上にワイヤドラム２２を設置する。
【００２８】
次に、最上位に位置する立て管ユニット１（以下、適宜「第１の立て管ユニット１」と言う）を配設する（ステップＳ５）。まず、ウインチ２１のワイヤ２１Ａの先端部を、荷揚げスペースまで下ろし、第１の立て管ユニット１の上端部側の接続プレート３に接続する。具体的には、図６、７に示すように、逆Ｕ字状のシャックル２４に吊りワイヤ２５の端部リング２５ａを係止した状態で、ボルト２４Ａを接続プレート３の接続穴３ａに挿入して、シャックル２４のネジ孔にねじ込む。同様にして、対向する接続穴３ａに対しても吊りワイヤ２５の他端を接続し、このようにして２本の吊りワイヤ２５を接続プレート３に取り付ける。次に、各吊りワイヤ２５を滑車２６に掛け、滑車２６のフック２６Ａにチェーンブロック２７の下側フック２７Ａを係止する。そして、チェーンブロック２７の上側フック２７Ｂを、ワイヤ２１Ａの先端に取り付けられたリング２１Ｂに係止するものである。
【００２９】
続いて、ウインチ２１のワイヤ２１Ａを巻き上げて、第１の立て管ユニット１を所定の位置まで吊り上げる。この実施の形態では、図８に示すように、第１の立て管ユニット１の上部が２０階の床上から所定高さに位置するまで吊り上げる。そして、第１の立て管ユニット１の上部に金属製のロケット４を溶接し、このロケット４を介して第１の立て管ユニット１を２０階の床躯体に固定させる。ここで、溶接時には、下階のスリーブ開口１０Ａを蓋で閉じ、火花が落下しないように養生する。また、立て管の荷重は、すべてこのロケット４で支えられるため、溶接は仮付けではなく、本付け（全周付け）とする。
【００３０】
次に、第１の立て管ユニット１の下に位置する立て管ユニット１（以下、適宜「第２の立て管ユニット１」と言う）を配設する（ステップＳ６）。まず、第１の立て管ユニット１からシャックル２４を外し、チェーンブロック２７と吊りワイヤ２５を第１の立て管ユニット１の接続プレート３間、つまり上下端部側の挿入空間Ｃ２に通した状態で、ウインチ２１のワイヤ２１Ａを荷揚げスペースまで下げる。ここで、チェーンブロック２７を挿入空間Ｃ２に通せない場合には、ワイヤ２１Ａのみを挿入空間Ｃ２に通して下げる。次に、第１の立て管ユニット１の場合と同様にして、ウインチ２１のワイヤ２１Ａの先端部を、チェーンブロック２７やシャックル２４などを介して第２の立て管ユニット１の上端部側の接続プレート３に接続する。
【００３１】
続いて、ウインチ２１のワイヤ２１Ａを巻き上げて（図９）、第２の立て管ユニット１を第１の立て管ユニット１の下端まで吊り上げる。そして、チェーンブロック２７で第２の立て管ユニット１の曲がり（姿勢）やレベルを調整しながら、図１０に示すように、第１の立て管ユニット１の管材２の下端部（管材下端部）を第２の立て管ユニット１の接続リング２Ａ（管材上端部）に装着する。この状態で、第２の立て管ユニット１を仮支持台で支持し、管材下端部と管材上端部との管材接続部（接続リング２Ａの上縁部）を溶接する。ここで、溶接時には、下階のスリーブ開口１０Ａを蓋で閉じて養生し、狭所（壁側など）のため、第１の立て管ユニット１の下端部が装着された接続リング２Ａの上縁（外周）を、上方から溶接する。また、ここでの溶接は、管材２の全周の半分程度を溶接する仮溶接とし、すべての立て管ユニット１を配設し終えた後に、残りの部分を溶接して本付けする。
【００３２】
以後同様にして、すべての立て管ユニット１が完了する（ステップＳ７で「Ｙ」）まで、図１１に示すように、順次、次の立て管ユニット１を配設（接続）していく。ここで、荷揚げスペースよりも下階の地下２、３階についても、同様にして、地下２階および地下３階に仮置きした立て管ユニット１を吊り上げて配設する。そして、すべての立て管ユニット１を配設し終えた後に、すべての立て管ユニット１に断熱材を被覆する（ステップＳ８）。このとき、各立て管ユニット１の接続プレート３にも断熱材を巻き、スリーブ開口１０Ａを貫通する部位については、その上部で巻き付けた断熱材をスリーブ開口１０Ａと立て管ユニット１との隙間に落とし込んで固定する。また、スリーブ開口１０Ａが矩形の孔などで、スリーブ開口１０Ａと立て管ユニット１との隙間が大きい場合には、その隙間をモルタルなどで埋める。また、２０階と２１階に対しては、ウインチ２１やワイヤドラム２２などを撤去した後に、予め仮置きした管材を立て起こして、第１の立て管ユニット１の上に接合する。
【００３３】
以上のように、この立て管ユニット１および立て管施工方法によれば、立て管ユニット１ごとに吊り上げるため、大掛かりな施工機械を要せず、ウインチ２１程度の揚重機ですむ。また、吊り点が揚重対象の管材２間に限定されるため、狭い施工スペースでも安全かつ容易に施工することが可能となる。しかも、既に設置した立て管ユニット１の挿入空間Ｃ２、つまり立て管ユニット１の中心部にワイヤ２１Ａを通して次の立て管ユニット１を吊り上げるため、ワイヤ２１Ａが挿入空間Ｃ２によって立て管ユニット１の中心にガイドされる。この結果、立て管ユニット１が振れることなく安定して吊り上げられるとともに、固定済みの管材２と揚重対象の管材２との位置合わせを容易に行うことができる。さらに、スリーブ開口１０Ａの形状が上記のように設定されているため、スリーブ開口１０Ａと立て管ユニット１との隙間に断熱材を充填するだけで、あるいは多少のモルタル埋めを行うだけで、隙間の穴埋めを行え、穴埋め作業を削減できる。
【００３４】
また、定尺の管材が多くなるように立て管ユニット１の長さが設定されているため、管材２の廃材が減り、材料費や廃材処理費などを削減することができる。さらに、接続リング２Ａ（管材接続部）が各階において床上から１．５ｍ以下に位置するように立て管ユニット１の長さが設定されているため、各階における溶接作業を容易かつ安全に行うことが可能となる。しかも、上方の立て管ユニット１の管材２の下端部が下方の立て管ユニット１の接続リング２Ａに装着するため、接続リング２Ａの上縁を上方から溶接することができ、シャフト内が狭い場合や管材２が隅部（壁際など）に位置する場合でも、容易かつ精度高く溶接することが可能となる。また、管材２の上下端部側に対の接続プレート３が配設されているため、管材２同士が強固に接続され、管材２のひずみや曲がりなどを防止できる。さらに、この上下の接続プレート３間にワイヤ２１Ａを通すため、より安定して下方の立て管ユニット１を吊り上げ、案内し、かつ、管材２と管材２との位置合わせをより容易に行うことができる。
【００３５】
一方、荷揚げスペースよりも下の階用の立て管ユニット１をそれぞれ地下２、３階に仮置きするため、上記のように、荷揚げスペースから上の階用の立て管ユニット１を配設した後に、地下２、３階用の立て管ユニット１を配設することができる。この結果、逆打ち工法による場合や配設予定スペースに障害物がある場合など、立て管の施工（立て管ユニット１の配設）を開始した後に、地下２、３階に配設スペースが形成、確保される場合であっても、立て管全体の施工工程に影響を与えることなく、短期間に施工を行うことが可能となる。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、１つの立て管ユニット１に２対の接続プレート３を配設しているが、立て管ユニット１が長さや接続プレート３の大きさなどに応じて、１対または３対以上配設してもよい。また、管材２の大きさ（径、長さ）や用途などによっては、３本以上の管材２を並列に配置した立て管ユニットとしてもよい。さらに、平面視した場合に、図１２（ａ）に示すように、３本の管材２をＬ字状に配置した立て管ユニットとしたり、図１２（ｂ）に示すように、４本の管材２を正方形状に配置した立て管ユニットとしてもよい。この場合、各階の床に、立て管ユニットの断面形状と同形状のスリーブ開口、つまりＬ字状や正方形状のスリーブ開口を形成し、吊り上げ時のバランスを考慮して一箇所または複数個所でワイヤ２１Ａを接続し、ウインチ２１で吊り上げる。
【産業上の利用可能性】
【００３７】
以上のように、この発明に係る立て管施工方法および立て管ユニットは、狭い施工スペースでも容易に、かつ、大掛かりな施工機械などを要しないで、立て管を設置することが可能なものとして極めて有用である。
【図面の簡単な説明】
【００３８】
【図１】この発明の実施の形態に係る立て管ユニットを示す平面図である。
【図２】図１のＡ−Ａ断面図である。
【図３】この発明の実施の形態に係る立て管施工方法による手順を示すフローチャートである。
【図４】図３の立て管施工方法において、第１の立て管ユニットを吊った状態を示す図である。
【図５】図３の立て管施工方法において、ウインチとワイヤドラムを設置した状態を示す図である。
【図６】図３の立て管施工方法において、ウインチのワイヤの先端部と第１の立て管ユニットの接続プレートとを接続した状態を示す図である。
【図７】図６のＢ−Ｂ方向から見た側面図である。
【図８】図３の立て管施工方法において、第１の立て管ユニットを所定の位置まで吊り上げて固定している状態を示す図である。
【図９】図３の立て管施工方法において、第２の立て管ユニットを吊り上げている状態を示す図である。
【図１０】図３の立て管施工方法において、第１の立て管ユニットの下端部と第２の立て管ユニットの上端部とを接続している状態を示す図である。
【図１１】図３の立て管施工方法において、順次立て管ユニットを配設している状態を示す図である。
【図１２】本発明の変形例を示し、管材をＬ字状に配置した立て管ユニット（ａ）と、管材を正方形状に配置した立て管ユニット（ｂ）を示す平面図である。
【符号の説明】
【００３９】
１          立て管ユニット
２          管材
２Ａ        接続リング
３          接続プレート（接続部材）
３ａ        接続穴（被接続部）
Ｃ２        挿入空間
４          ロケット
１０        高層ビル（建物）
１０Ａ      スリーブ開口
２１        ウインチ（揚重機）
２１Ａ      ワイヤ
２２        ワイヤドラム
２３        ウインチ架台
２４        シャックル
２５        吊りワイヤ
２６        滑車
２７        チェーンブロック
【図１】
0005300311.tif 000002
【図２】
0005300311.tif 000003
【図３】
0005300311.tif 000004
【図４】
0005300311.tif 000005
【図５】
0005300311.tif 000006
【図６】
0005300311.tif 000007
【図７】
0005300311.tif 000008
【図８】
0005300311.tif 000009
【図９】
0005300311.tif 000010
【図１０】
0005300311.tif 000011
【図１１】
0005300311.tif 000012
【図１２】
0005300311.tif 000013